(57)【特許請求の範囲】
【請求項１】
手洗いボールの底部に形成された排水口とその周辺部を、排水口に配設される排水栓に干渉することなく上方より覆って隠す排水口カバーであって、裏面部に螺合部を複数有する略板状のカバー本体を備え、カバー本体の螺合部に螺着するネジが外周に切られ、ねじ込み側と反対側の一端部に滑り止めを備えた脚が複数本設けられ、螺合部へのねじ込み量によって脚の長さ調整が可能となっていることを特徴とする排水口カバー。
【請求項２】
螺合部はインサートナットによりカバー本体に一体形成され、カバー本体の裏面から下方に突出している請求項１記載の排水口カバー。
【請求項３】
カバー本体の表面は傾斜面を有している請求項１または２記載の排水口カバー。
【発明の詳細な説明】
【技術分野】
【０００１】
本願発明は、手洗いボールの底部に形成された排水口とその周辺部を覆い隠す排水口カバーに関する。
【背景技術】
【０００２】
洗面化粧台などに設けられる手洗いボールには、底部の排水口に金属製または樹脂製の排水栓が取り付けられているが、陶器製または人工大理石などの樹脂製の手洗いボールとの隙間にゴミや水垢が溜まりやすいという問題が指摘されている。また、素材感を追求する高グレート品などでは、外観品質の向上のためにも排水栓を隠したいというニーズがある。
【０００３】
そこで、排水口とその周辺部を上方より覆う排水口カバーの設置が一応考えられるが、この場合、手洗いボールには製造のバラツキがあるため、排水口カバーを常に安定して手洗いボールに設置することができず、カランから吐水したときに流水によって排水口カバーがずれたり、ガタついて音が発生したりするなどの問題がある。
【０００４】
このような問題を解消するために、手洗いボールの底面に段落部を形成し、この段落部の底面に排水口を設けるとともに、排水栓が上下動することができる空間を有する排水蓋を設ける排水構造が提案されている（特許文献１）。
【特許文献１】特開平１１−１０７３４１号公報
【発明の開示】
【発明が解決しようとする課題】
【０００５】
確かに段落部の形成によって、排水蓋は手洗いボールに安定して設置され、ずれやガタつきといった問題は解決される。しかしながら、この場合には、手洗いボールを排水蓋の設置を見越した特殊な形状にする必要があり、同一の排水蓋を他の手洗いボールに適用することができないという不都合さがある。
【０００６】
本願発明は、このような事情に鑑みてなされたものであり、手洗いボールの形状に制約を課さず、幅広い製品に対して設置可能であり、また、手洗いボールの製造のバラツキに関わらず、常に安定にしかも容易に排水口周辺部に設置して排水口およびその周辺部を上方より覆い隠すことのできる排水口カバーを提供することを課題としている。
【課題を解決するための手段】
【０００７】
本願発明は、上記の課題を解決するために、第１に、手洗いボールの底部に形成された排水口とその周辺部を、排水口に配設される排水栓に干渉することなく上方より覆って隠す排水口カバーであって、裏面部に螺合部を複数有する略板状のカバー本体を備え、カバー本体の螺合部に螺着するネジが外周に切られ、ねじ込み側と反対側の一端部に滑り止めを備えた脚が複数本設けられ、螺合部へのねじ込み量によって脚の長さ調整が可能となっていることを特徴としている。
【０００８】
本願発明は、第２に、螺合部はインサートナットによりカバー本体に一体形成され、カバー本体の裏面から下方に突出していることを特徴としている。
【０００９】
本願発明は、第３に、カバー本体の表面は傾斜面を有していることを特徴としている。
【発明の効果】
【００１０】
本願の第１の発明によれば、カバー本体の裏面部の螺合部に螺着する脚部のねじ込み量によって脚の長さを調整することができるため、排水口カバーを常に安定した状態で手洗いボールの排水口周辺部に設置することができる。排水口カバーの設置のために手洗いボールの形状が制約されることはなく、幅広い製品に対して排水口カバーを設置することができる。手洗いボールの製造のバラツキにも関係なく排水口カバーを安定して設置することができる。また、脚の長さ調整はネジ式であるため、施工業者ばかりでなく手洗いボールの使用者によっても容易に脚の長さを調整することができる。脚の長さの調整によって排水口カバーの高さ調整も行え、手洗いボールの排水能力を調整することができる。さらに、脚は、カバー本体の螺合部へのねじ込み側と反対側の一端部に滑り止めを備えているため、排水口カバーの設置状態はより安定し、流水によってズレたり、ガタついて音が発生したりすることはない。
【００１１】
本願の第２の発明によれば、螺合部が簡便かつコンパクトに形成される。カバー本体の厚みを薄くすることができるなど、排水口カバーの外観を向上させることができる。また、螺合部がカバー本体の裏面から下方に突出しているので、手洗いボールの排水口に配設された排水栓との干渉を容易に解消することができる。
【００１２】
本願の第３の発明によれば、排水口カバー表面の水溜りが解消される。
【発明を実施するための最良の形態】
【００１３】
図１は、本願発明の排水口カバーの一実施形態を示した分解斜視図である。
【００１４】
排水口カバーは、平面視略矩形で略板状のカバー本体１を備えている。カバー本体１は樹脂製である。カバー本体１の裏面部の四隅に螺合部２が設けられている。螺合部２は、インサートナット３から形成され、カバー本体１と一体とされている。また、螺合部２は、カバー本体１の裏面から下方に突出している。
【００１５】
排水口カバーには、また、螺合部２を形成するインサートナット３に螺着する脚４が、各螺合部２に対し１つずつ設けられている。脚４は、外周にネジ５が切られ、インサートナット３へのねじ込み側と反対側の一端部に滑り止め６を備えている。脚４の長さ、すなわち、螺合部２から下方に突出する脚４の長さは、脚４を回して螺合部２にねじ込むねじ込み量によって調整することができる。脚４の長さの調整は、各脚４について個別に行うことができる。脚４は、樹脂製としたり、ネジ５が切られた部分を金属製としたりすることができる。滑り止め６は、ゴムなどの樹脂から形成することができる。
【００１６】
また、カバー本体１の表面は、一端縁から対向端縁に向かって傾斜する傾斜面７となっている。
【００１７】
図２は、図１に示した排水口カバーを洗面化粧台の手洗いボールに設置した状態を示した斜視図であり、図３は、図２図中のＡ−Ａ断面図、図４は、図２の排水口周辺部を拡大して示した要部平面図である。
【００１８】
排水口カバーは、洗面化粧台の手洗いボール８の底部に形成された排水口９とその周辺部を上方より覆って隠している。各脚４は、カバー本体１の螺合部２へのねじ込み量によって長さが個別に調整され、滑り止め６を手洗いボール８の底面に接触させている。すなわち、排水口カバーの設置に当たっては、排水口カバーを手洗いボール８の排水口９の周辺部に置き、ガタツキを確認しながら各脚４の長さを脚４を回すことにより調整し、安定させる。
【００１９】
このように、カバー本体１の裏面部の螺合部２に螺着する脚４のねじ込み量によって脚４の長さを調整することができるため、排水口カバーを常に安定した状態で手洗いボール８の排水口９の周辺部に設置することができる。排水口カバーの設置のために手洗いボール８の形状が制約されることはなく、幅広い製品に対して排水口カバーを設置することができる。手洗いボール８の製造のバラツキにも関係せず、排水口カバーを安定して設置することができる。また、脚４の長さ調整はネジ式であるため、施工業者ばかりでなく手洗いボール８の使用者によっても容易に脚４の長さを調整することができる。脚４の長さの調整によって排水口カバーの高さ調整も行え、排水口カバーと手洗いボール８との間の隙間の大きさを変えることができる。手洗いボール８内の水は排水口カバーと手洗いボール８との隙間から排水口９に流れ込む。したがって、排水口カバーの高さ調整によって手洗いボール８との間の隙間の大きさを変更することにより、手洗いボール８の排水能力の調整が可能となる。さらに、脚４は、カバー本体１の螺合部２へのねじ込み側と反対側の一端部に滑り止め６を備えているため、排水口カバーの設置状態はより安定し、カラン１０から吐水したときの流水によってズレたり、ガタついて音が発生したりすることはない。
【００２０】
排水口カバーの裏面部の螺合部２は、インサートナット３によりカバー本体１と一体形成され、カバー本体１の裏面から下方に突出している。このため、排水口カバーが設置されたときには、カバー本体１は手洗いボール８の底面から浮いて配置され、手洗いボール８との間に、図３に示したように、空間１１が形成される。排水口９には、ポップアップ式などの排水栓１２が配設されるが、排水栓１２の上下動作は空間１１内で行われ、カバー本体１が排水栓１２と干渉することはない。したがって、排水栓１２との干渉が容易に解消される。排水口カバーは、手洗いボール８の排水口９とその周辺部を、排水口９に配設される排水栓１２に干渉することなく上方より覆って隠すことができる。素材感を追求する高グレート品などについての外観品質の向上というニーズにも対応することができる。空間１１は、脚４の長さを長くすることにより容易に拡大することができ、各種の排水栓１２に対して排水口カバーの干渉を解消することができる。
【００２１】
さらに、インサートナット３の採用により、螺合部２が簡便かつコンパクトに形成される。カバー本体１の厚みを薄くすることができるなど、排水口カバーの外観を向上させることができる。
【００２２】
そして、排水口カバーは、カバー本体１の高い側の一端縁が手洗いボール８の後ろ側に、低い側の対向端縁が手洗いボール８の前側に配置して設置されている。傾斜面７によって水を低い側に流し落とすことができ、排水口カバーの表面に水溜りが形成されることはない。
【００２３】
なお、本願発明の排水口カバーにおいて、カバー本体１の形状は、平面視略矩形に制限されない。平面視で円形、楕円形などの各種のものとすることができる。その場合にも、カバー本体１の表面は傾斜面７とすることができる。高い側を手洗いボール８の後ろ側に、低い側を手洗いボール８の前側に配置して排水口カバーを設置することができる。また、傾斜面７は、カバー本体１の中央部が高く、周端縁部に向かって傾斜するものとすることもできる。さらに、カバー本体１の側面は、手洗いボール８の底部の形状に合わせることができ、手洗いボール８との間に排水用の隙間が形成されるように、手洗いボール８の底部に向かって傾斜させるなどが可能である。
【００２４】
脚４については、排水口カバーを手洗いボール８の排水口９の周辺部に安定して設置することができる限り、その本数は特に制限されない。カバー本体１を３点以上でバランスよく支持することが好ましい。そして、カバー本体１の裏面部における螺合部２の数は脚４の本数に応じて適宜設定することができ、配置位置もカバー本体１の形状に合わせて適宜な位置とすることができる。
【図面の簡単な説明】
【００２５】
【図１】本願発明の排水口カバーの一実施形態を示した分解斜視図である。
【図２】図１に示した排水口カバーを洗面化粧台の手洗いボールに設置した状態を示した斜視図である。
【図３】図２図中のＡ−Ａ断面図である。
【図４】図２の排水口周辺部を拡大して示した要部平面図である。
【符号の説明】
【００２６】
１    カバー本体
２    螺合部
３    インサートナット
４    脚
５    ネジ
６    滑り止め
７    傾斜面
８    手洗いボール
９    排水口
１０    カラン
１１    空間
１２    排水栓
【図１】
0004561692.tif 000002
【図２】
0004561692.tif 000003
【図３】
0004561692.tif 000004
【図４】
0004561692.tif 000005